(57)【要約】【課題】乗客によるエレベータの操作を容易にしたエレベータの制御装置を提供する。【解決手段】二階床間をサービスするエレベータのかご１内に、単一の行先階登録スイッチ８と、単一のドア操作スイッチ７と、を設け、乗客が行先階登録スイッチ８を操作したときに、行先階選択処理部９ｂがかご１の現在位置に応じて行先階を選択するとともに、乗客がドア操作スイッチ７を操作したときに、ドア動作選択処理部９ａが出入口ドア２の動作を戸閉動作または戸開動作のうちから出入口３の開閉状態に応じて選択する。【選択図】図２
2008201557.tif 000002
【特許請求の範囲】
【請求項１】
二階床間をサービスするエレベータのかごに、行先階を登録する行先階登録信号を出力する行先階登録操作手段と、かごへの出入口を開閉する出入口ドアの開閉操作信号を出力するドア操作手段と、が設けられていて、乗客による上記両操作手段の操作に基づいてかごを運転するエレベータの制御装置において、
下記（Ａ）、（Ｂ）の要件のうち少なくともいずれかの要件を含んでいることを特徴とするエレベータの制御装置。
（Ａ）行先階登録操作手段が単一の行先階登録スイッチをもって構成されていて、その行先階登録スイッチが行先階登録信号を出力したときに、かごの現在位置に応じて行先階を登録するようになっていること。
（Ｂ）ドア操作手段が単一のドア操作スイッチをもって構成されていて、そのドア操作スイッチが開閉操作信号を出力したときに、出入口の開閉状態に応じて出入口ドアの開閉動作を行うようになっていること。
【請求項２】
上記（Ａ）の要件を含んでいて、かごがいずれかの階床で停止している状態で行先階登録スイッチが行先階登録信号を出力したときに、かごが停止していない階床を行先階として登録するようになっていることを特徴とする請求項１に記載のエレベータの制御装置。
【請求項３】
上記（Ａ）の要件を含んでいるとともに、一方の階床を示す図柄または文字と、他方の階床を示す図柄または文字と、を選択的に表示する行先階表示器がかごに設けられていて、その行先階表示器が行先階登録スイッチの操作によって登録される行先階をかごの現在位置に応じて表示するようになっていることを特徴とする請求項１または２に記載のエレベータの制御装置。
【請求項４】
行先階登録スイッチがその行先階登録スイッチのうち乗客により操作される操作面に表示を行う行先階表示部を上記行先階表示器として備えていることを特徴とする請求項３に記載のエレベータの制御装置。
【請求項５】
上記（Ｂ）の要件を含んでいて、出入口全開時にドア操作スイッチが開閉操作信号を出力した場合に出入口ドアを閉駆動させる一方で、出入口ドアの閉動作中にドア操作スイッチが開閉操作信号を出力した場合に出入口ドアを開駆動させるようになっていることを特徴とする請求項１〜４のいずれかに記載のエレベータの制御装置。
【請求項６】
上記（Ｂ）の要件を含んでいるとともに、出入口ドアの開動作を示す図柄または文字と、出入口ドアの閉動作を示す図柄または文字と、を選択的に表示するドア動作表示器がかごに設けられていて、そのドア動作表示器がドア操作スイッチの操作による出入口ドアの動作を出入口の開閉状態に応じて表示するようになっていることを特徴とする請求項１〜５のいずれかに記載のエレベータの制御装置。
【請求項７】
ドア操作スイッチがそのドア操作スイッチのうち乗客により操作される操作面に表示を行うドア動作表示部を上記ドア動作表示器として備えていることを特徴とする請求項６に記載のエレベータの制御装置。
【請求項８】
上記（Ａ）、（Ｂ）の要件をいずれも含んでいることを特徴とする請求項１〜７のいずれかに記載のエレベータの制御装置。
【請求項９】
３以上の階床間をサービスするエレベータのかごに、行先階を登録する行先階登録信号を出力する行先階登録操作手段と、かごへの出入口を開閉する出入口ドアの開閉操作信号を出力するドア操作手段と、が設けられていて、乗客による上記両操作手段の操作に基づいてかごを運転するエレベータの制御装置において、
下記（Ｃ）、（Ｄ）の要件のうち少なくともいずれかの要件を含んでいることを特徴とするエレベータの制御装置。
（Ｃ）行先階登録操作手段がサービス階の数よりも一つ少ない数の行先階登録スイッチをもって構成されているとともに、その各行先階登録スイッチの操作により登録される行先階をそれぞれ表示する行先階表示器がかごに設けられていて、
かごがいずれかの階床に位置しているときに、かごが位置する階床を除く階床をそれぞれ各行先階登録スイッチに割り当てるとともに、各行先階登録スイッチに割り当てられた階床をそれぞれ行先階表示器に表示し、各行先階登録スイッチが乗客により操作されたときに、操作された行先階登録スイッチに割り当てられた階床を行先階として登録するようになっていること。
（Ｄ）ドア操作手段が単一のドア操作スイッチをもって構成されていて、そのドア操作スイッチが開閉操作信号を出力したときに、出入口の開閉状態に応じて出入口ドアの開閉動作を行うようになっていること。
【発明の詳細な説明】
【技術分野】
【０００１】
本発明はエレベータの制御装置に関し、特に乗客が操作する操作スイッチの数を低減することで、乗客によるエレベータの操作を容易にしたエレベータの制御装置に関する。
【背景技術】
【０００２】
エレベータのかごには、エレベータのサービスする階床数だけ設けられた複数の行先階登録スイッチと、出入口ドアを操作する戸開スイッチおよび戸閉スイッチと、を有するかご操作盤が設けられていて、かご内に乗り込んだ乗客は、複数の行先階登録スイッチから所望の行先階に対応する行先階登録スイッチを選択・操作してかごの行先階を登録するとともに、戸開スイッチおよび戸閉スイッチによりかごへの出入口を開閉する出入口ドアを開閉操作するようになっている。したがって、複数の行先階登録スイッチと戸開スイッチおよび戸閉スイッチといった多くの操作スイッチの中から乗客が適切な操作スイッチを選択・操作しなければならず、乗客によるエレベータの操作が煩雑となり、場合によっては操作スイッチを誤って操作してしまうことがある。
【０００３】
そこで、特に戸開スイッチおよび戸閉スイッチの誤操作を防止するため、各行先階登録スイッチの上方に戸開スイッチを配置するとともに、各行先階登録スイッチの下方に戸閉スイッチを配置して戸開スイッチと戸閉スイッチを離間させるとともに、戸開スイッチの操作面を戸閉スイッチの操作面よりも大きくした技術が特許文献１に記載されている。
【特許文献１】特開平１０−２９７８４９号公報
【発明の開示】
【発明が解決しようとする課題】
【０００４】
しかしながら、特許文献１に記載の技術では、戸開スイッチと戸閉スイッチの押し間違いは防止されるものの、多くの操作スイッチの中から適切な操作スイッチを選択して操作する必要があることには変わりなく、乗客によるエレベータの操作が煩雑となる。
【０００５】
本発明は上記課題に鑑みてなされたものであって、乗客の操作する操作スイッチの数を低減することで、乗客によるエレベータの操作を容易にしたエレベータの制御装置を提供することを目的としている。
【課題を解決するための手段】
【０００６】
請求項１に記載の発明は、二階床間をサービスするエレベータのかごに、行先階を登録する行先階登録信号を出力する行先階登録操作手段と、かごへの出入口を開閉する出入口ドアの開閉操作信号を出力するドア操作手段と、が設けられていて、乗客による上記両操作手段の操作に基づいてかごを運転するエレベータの制御装置において、下記（Ａ）、（Ｂ）の要件のうち少なくともいずれかの要件を含んでいることを特徴としている。
【０００７】
（Ａ）行先階登録操作手段が単一の行先階登録スイッチをもって構成されていて、その行先階登録スイッチが行先階登録信号を出力したときに、かごの現在位置に応じて行先階を登録するようになっていること。
【０００８】
（Ｂ）ドア操作手段が単一のドア操作スイッチをもって構成されていて、そのドア操作スイッチが開閉操作信号を出力したときに、出入口の開閉状態に応じて出入口ドアの開閉動作を行うようになっていること。
【０００９】
したがって、請求項１に記載の発明では、行先階登録手段およびドア操作手段のうち少なくとも一方が、単一の操作スイッチをもって構成されるため、（Ａ）の要件を含んでいる場合には、乗客が行先階登録スイッチを操作することで、かごの現在位置に応じて二階床のうちいずれかの階床が選択的に行先階として登録されることとなり、乗客による行先階の選択が不要となる一方で、（Ｂ）の要件を含んでいる場合には、乗客がドア操作スイッチを操作することで、出入口の開閉状態に応じて出入口ドアの開動作および閉動作が選択的に行われることとなり、従来のように出入口ドアの動作を乗客が選択する必要がなくなる。
【００１０】
より具体的には、請求項２に記載のように、上記（Ａ）の要件を含んでいて、かごがいずれかの階床で停止している状態で行先階登録スイッチが行先階登録信号を出力したときに、かごが停止していない階床を行先階として登録するようになっているものとする。
【００１１】
好ましくは請求項３に記載のように、上記（Ａ）の要件を含んでいるとともに、一方の階床を示す図柄または文字と、他方の階床を示す図柄または文字と、を選択的に表示する行先階表示器がかごに設けられていて、その行先階表示器が行先階登録スイッチの操作によって登録される行先階をかごの現在位置に応じて表示するようになっていると、行先階登録スイッチにより登録される行先階を乗客に示すことで、乗客がエレベータの操作をより円滑に行うことができるようになる。
【００１２】
その上で請求項４に記載のように、行先階登録スイッチがその行先階登録スイッチのうち乗客により操作される操作面に表示を行う行先階表示部を上記行先階表示器として備えていると、行先階表示部が行先階登録スイッチと一体に構成されるため、省スペース化の上で好ましいものとなる。
【００１３】
一方、上記（Ｂ）の要件を含んでいる場合において、具体的には請求項５に記載のように、出入口全開時にドア操作スイッチが開閉操作信号を出力した場合に出入口ドアを閉駆動させる一方で、出入口ドアの閉動作中にドア操作スイッチが開閉操作信号を出力した場合に出入口ドアを開駆動させるようになっているものとする。
【００１４】
より好ましくは請求項６に記載のように、上記（Ｂ）の要件を含んでいるとともに、出入口ドアの開動作を示す図柄または文字と、出入口ドアの閉動作を示す図柄または文字と、を選択的に表示するドア動作表示器がかごに設けられていて、そのドア動作表示器がドア操作スイッチの操作による出入口ドアの動作を出入口の開閉状態に応じて表示するようになっていると、ドア操作スイッチの操作による出入口の動作を乗客に示すことで、乗客がエレベータの操作をより確実且つ円滑に行うことができるようになる。
【００１５】
その上で請求項７に記載の発明のように、ドア操作スイッチがそのドア操作スイッチのうち乗客により操作される操作面に表示を行うドア動作表示部を上記ドア動作表示器として備えていると、ドア動作表示部がドア操作スイッチと一体に構成されるため、省スペース化の上で好ましいものとなる。
【００１６】
望ましくは、請求項８に記載のように、上記（Ａ）、（Ｂ）の要件をいずれも含んでいると、乗客の操作する操作スイッチの数をより低減することができる。
【００１７】
また、請求項９に記載の発明は、３以上の階床間をサービスするエレベータのかごに、行先階を登録する行先階登録信号を出力する行先階登録操作手段と、かごへの出入口を開閉する出入口ドアの開閉操作信号を出力するドア操作手段と、が設けられていて、乗客による上記両操作手段の操作に基づいてかごを運転するエレベータの制御装置において、下記（Ｃ）、（Ｄ）の要件のうち少なくともいずれかの要件を含んでいることを特徴としている。
【００１８】
（Ｃ）行先階登録操作手段がサービス階の数よりも一つ少ない数の行先階登録スイッチをもって構成されているとともに、その各行先階登録スイッチの操作により登録される行先階をそれぞれ表示する行先階表示器がかごに設けられていて、かごがいずれかの階床に位置しているときに、かごが位置する階床を除く階床をそれぞれ各行先階登録スイッチに割り当てるとともに、各行先階登録スイッチに割り当てられた階床をそれぞれ行先階表示器に表示し、各行先階登録スイッチが乗客により操作されたときに、操作された行先階登録スイッチに割り当てられた階床を行先階として登録するようになっていること。
【００１９】
（Ｄ）ドア操作手段が単一のドア操作スイッチをもって構成されていて、そのドア操作スイッチが開閉操作信号を出力したときに、出入口の開閉状態に応じて出入口ドアの開閉動作を行うようになっていること。
【００２０】
すなわち、請求項９に記載の発明では、（Ｃ）の要件を含んでいる場合には、行先階登録スイッチの数をサービス階の数よりも少なくすることができる一方で、（Ｄ）の要件を含んでいる場合には、ドア操作手段が単一のドア操作スイッチをもって構成されることから、３以上の階床間をサービスするエレベータにおいても乗客の操作する操作スイッチの数を低減することができる。
【発明の効果】
【００２１】
請求項１に記載の発明によれば、（Ａ）の要件を含んでいる場合には、乗客が行先階登録スイッチを操作することで、かごの現在位置に応じて二階床のうちいずれかの階床が選択的に行先階として登録されることとなり、乗客による行先階の選択が不要となる一方で、（Ｂ）の要件を含んでいる場合には、乗客がドア操作スイッチを操作することで、出入口の開閉状態に応じて出入口ドアの開動作および閉動作が選択的に行われることとなり、従来のように出入口ドアの動作を乗客が選択する必要がなくなり、エレベータに不慣れな乗客でも容易にエレベータを利用することができるようになる。
【００２２】
特に、請求項８に記載の発明によれば、乗客の操作する操作スイッチの数がより低減され、エレベータの操作がさらに容易となるメリットがある。
【００２３】
また、請求項９に記載の発明によれば、３以上の階床をサービスするエレベータにおいても乗客の操作する操作スイッチの数を低減することができ、乗客によるエレベータの操作が容易となるメリットがある。
【発明を実施するための最良の形態】
【００２４】
図１および図２は本発明のより具体的な第１の実施の形態を示す図であって、図１はエレベータ装置を示す概略図、図２は図１におけるかごの内部を示す図である。
【００２５】
図１のほか図２に示すように、１階および２階の２階床間をサービスするエレベータのかご１には出入口ドア２により開閉されるかご１への出入口３が設けられていて、その出入口３脇の袖壁４にかご操作盤５が設けられている。そして、かご操作盤５には、かご１の現在位置を表示するかご位置表示器６のほか、出入口ドア２の開閉操作信号を出力するドア操作スイッチ７がドア操作手段として設けられているとともに、かごの行先階を登録すべく行先階登録信号を出力する行先階登録スイッチ８が行先階登録操作手段として設けられている。なお、ドア操作スイッチ７および行先階登録スイッチ８はいわゆるモーメンタリ動作形の押ボタンスイッチであって、乗客が両スイッチ７，８のうちかご１内に露出した操作面７ａ，８ａをそれぞれ押圧操作すると、両スイッチ７，８を乗客が押圧している間、両スイッチ７，８が開閉操作信号または行先階登録信号を出力するようになっている。
【００２６】
かご操作盤５はドア動作選択処理部９ａおよび行先階選択処理部９ｂを備えたかごコントローラ９に接続されており、ドア動作選択処理部９ａがドア操作スイッチ７からの開閉操作信号を入力するようになっているとともに、行先階選択処理部９ｂが行先階登録スイッチ８からの行先階登録信号を入力するようになっている。
【００２７】
詳細には、ドア動作選択処理部９ａに出入口３の開閉状態を検出するドア開閉センサ１０が接続されていて、ドア動作選択処理部９ａが開閉操作信号を入力すると、出入口ドア２を閉動作させる戸閉動作信号または出入口ドア２を開動作させる戸開動作信号をドア開閉センサ１０の出力に応じて選択的にドア制御装置１１へ出力し、ドア制御装置１１がドア駆動装置１２をもって出入口ドア２を開閉駆動させることとなる。換言すれば、ドア操作スイッチ７が開閉操作信号を出力したときに、出入口３の開閉状態に応じて出入口ドア２の開閉動作を行うようになっている。
【００２８】
一方、行先階選択処理部９ｂには１階かご検出スイッチ１３および２階かご検出スイッチ１４が接続されていて、両かご検出スイッチ１３，１４はそれぞれ昇降路１５のうちかご１の走行方向で１階の乗場および２階の乗場に相当する位置に設けられている。すなわち、かご１が１階に位置するときに、１階かご検出スイッチ１３がかご１に設けられたカム１ａにより押圧されて検出作動し、行先階選択処理部９ｂに検出信号を出力するようになっている一方で、かご１が２階に位置するときに、２階かご検出スイッチ１４がカム１ａにより押圧されて検出動作し、行先階選択処理部９ｂに検出信号を出力するようになっている。すなわち、両かご検出スイッチ１３，１４がかご１の現在位置を検出するかご位置検出センサとして機能するようになっている。
【００２９】
そして、行先階選択処理部９ｂは行先階登録信号を入力すると、１階を行先階として登録する１階かご呼び登録信号または２階を行先階として登録する２階かご呼び登録信号を両かご検出スイッチ１３，１４の出力に応じて選択的に主制御装置１６へ出力し、主制御装置１６がかご駆動装置１７をもってかご１を行先階に向けて昇降移動させることとなる。言い換えると、行先階登録スイッチ８が行先階登録信号を出力したときに、かごの現在位置に応じて行先階を登録するようになっている。
【００３０】
図３は図１におけるかご操作盤５の詳細を示す図である。
【００３１】
図３に示すように、かご操作盤５に設けられた行先階登録スイッチ８は、その行先階登録スイッチ８の操作により行先階として登録される階床をかご１の現在位置に応じて表示する行先階表示部８ｂを行先階表示器として備えている。行先階表示部８ｂは、いわゆるドットマトリクス状に配置された複数のＬＥＤの点灯および消灯により、１階を示す「１」および２階を示す「２」を選択的に表示するようになっていて、行先階登録スイッチ８のうち操作面８ａの中央部に表示を行うようになっている。
【００３２】
また、行先階登録スイッチ８のうち操作面８ａの外縁部にはかご呼び登録表示部８ｃが設けられていて、行先階登録スイッチ８が押圧されて１階または２階が行先階として登録されたときに、かご呼び登録表示部８ｃが点灯することで、行先階が登録されたことを乗客に示すようになっている。
【００３３】
一方、かご操作盤５に設けられたドア操作スイッチ７は、そのドア操作スイッチ７の操作による出入口ドア２の動作を示す図柄を出入口３の開閉状態に応じて表示するドア動作表示部７ｂをドア動作表示器として備えている。ドア動作表示部７ｂは、行先階表示部８ｂと同様にいわゆるドットマトリクス状に配置された複数のＬＥＤにより、戸開動作を示す図柄および戸閉動作を示す図柄を選択的に表示するようになっていて、ドア操作スイッチ７のうち操作面７ａに表示を行うようになっている。
【００３４】
ここで、本実施の形態ではドア動作表示部７ｂに図柄を、行先階表示部８ｂに文字をそれぞれ表示させるようになっているが、両表示部７ｂ、８ｂの表示としては図柄および文字のいずれを用いてもよい。
【００３５】
図４は図１に示すかごコントローラ９のうち行先階選択処理部９ｂの処理内容を示すフローチャートである。
【００３６】
以上のように構成したエレベータの制御装置では、図４に示すように行先階選択処理部９ｂは、まず１階かご検出スイッチ１３が検出作動しているかを確認し（ステップＳ１０１）する。そして、１階かご検出スイッチが検出作動している場合には、行先階として２階を選択して（ステップＳ１０２）行先階表示部８ｂに「２」を表示させる（ステップＳ１０３）。
【００３７】
また、１階かご検出スイッチ１３が検出作動していない場合には、２階かご検出スイッチ１４が検出作動しているかを確認し（ステップＳ１０４）、２階かご検出スイッチ１４が検出作動している場合に、行先階として１階を選択して（ステップＳ１０５）行先階表示部８ｂに「１」を表示させる（ステップＳ１０６）。
【００３８】
その上で、行先階登録スイッチ８が乗客により押圧操作され、行先階選択処理部９ｂが行先階登録信号を入力すると（ステップＳ１０７）、ステップＳ１０２またはステップＳ１０５にて行先階として選択した階床を行先階として主制御装置１６に登録すべく、１階かご呼び登録信号または２階かご呼び登録信号を主制御装置１６に出力するとともに（Ｓ１０８）、行先階登録スイッチ８のかご呼び登録表示部８ｃを点灯させる（Ｓ１０９）。すなわち、かご１がいずれかの階床で停止している状態で行先階登録スイッチ８が行先階登録信号を出力すると、かご１が停止していない階床を行先階として登録することとなる。
【００３９】
主制御装置１６に行先階が登録されると、主制御装置１６がかご駆動装置１７によりかご１を行先階へ向けて昇降させる。
【００４０】
そして、かご１が行先階に到着すると行先階のかご検出スイッチ１３，１４が検出動作し（ステップＳ１１０）、行先階登録スイッチ８のかご呼び登録表示部８ｃを消灯する（ステップＳ１１１）。
【００４１】
図５は図１に示すかごコントローラ９のうちドア動作選択処理部９ａの処理内容を示すフローチャートである。
【００４２】
また、ドア動作選択処理部９ａは図５に示すように、まずドア開閉センサ１０の出力に基づいて出入口３が全開状態または戸開動作中であるかを確認する（ステップＳ２０１）。そして、出入口３が出入口全開状態または戸開動作中である場合には、ドア操作スイッチ７の操作による出入口ドア２の動作として戸閉動作を選択するとともに（ステップＳ２０２）、ドア動作表示部７ｂに戸閉動作を示す図柄を表示させる（ステップＳ２０３）。
【００４３】
一方、出入口３が全開状態または戸開動作中でない場合には、ドア操作スイッチ７の操作による出入口ドア２の動作として戸開動作を選択し（ステップＳ２０４）、ドア動作表示部７ｂに戸開動作を示す図柄を表示させる（ステップＳ２０５）。
【００４４】
その上で、ドア操作スイッチ７が乗客により操作されると（ステップＳ２０６）、ドア動作選択処理部９ａが開閉動作信号を入力し、ドア開閉センサ１０の出力に基づいて出入口３が全開状態であるかを判断する（ステップＳ２０７）。ここで、出入口３が全開状態でない場合には、ステップＳ２０２またはステップＳ２０４で選択した動作を実行すべく、戸開動作信号または戸閉動作信号をドア制御装置１１に出力し（ステップＳ２０８）、ドア制御装置１１がドア駆動装置１２を駆動して出入口ドア２を戸開動作または戸閉動作させることとなる。
【００４５】
一方、出入口３が全開状態である場合には、ドア操作スイッチ７からドア操作信号が出力されている時間が所定時間以上であるか、すなわち、乗客がドア操作スイッチ７をいわゆる長押ししているかを判断する（ステップＳ２０９）。そして、乗客がドア操作スイッチ７を長押ししている場合には、乗客がドア操作スイッチ７の操作をやめるまでの間、すなわち、ドア動作選択処理部９ａが開閉操作信号を入力している間、出入口全開状態を維持する（ステップＳ２１０）。
【００４６】
また、乗客がドア操作スイッチ７を長押ししていない場合には、戸開動作信号または戸閉動作信号をドア制御装置１１に出力し、ステップＳ２０２またはステップＳ２０４で選択した動作を実行する（ステップＳ２０８）。
【００４７】
つまり、出入口全開時にドア操作スイッチ７が所定時間よりも短く開閉操作信号を出力した場合に出入口ドア２を閉駆動させる一方で、出入口全開時にドア操作スイッチ７が所定時間よりも長く開閉操作信号を出力した場合に出入口全開状態を維持することとなり、さらに出入口ドア２の戸閉動作中にドア操作スイッチ７が開閉操作信号を出力した場合には出入口ドア２を開駆動させることとなる。
【００４８】
したがって、以上のように構成したエレベータの制御装置によれば、行先階登録スイッチ８の操作によりかご１の現在位置に応じて１階または２階が選択的に行先階として登録される上に、ドア操作スイッチ７の操作により出入口３の開閉状態に応じて出入口ドア２の開動作および閉動作が選択的に行われるため、乗客の操作する操作スイッチの数が低減され、従来のように乗客による行先階の選択および出入口ドア２の動作の選択が不要となり、エレベータに不慣れな乗客でも容易にエレベータを利用することができるようになる。
【００４９】
さらに、行先階登録スイッチ８の押圧操作によって登録される行先階を行先階表示部８ｂが表示して乗客に示すとともに、ドア操作スイッチ７の操作による出入口ドア２の動作をドア動作表示部７ｂが表示して乗客に示すようになっているため、乗客が行先階登録スイッチ８の機能およびドア操作スイッチ７の機能を容易に理解でき、エレベータの操作をより確実且つ円滑に行うことができるようになるメリットがある。
【００５０】
その上、両表示部７ｂ，８ｂがそれぞれ両スイッチ７，８の操作面７ａ，８ａに表示を行うようになっているため、かご操作盤５の省スペース化が図れる。
【００５１】
なお、本実施の形態では、行先階登録スイッチおよびドア操作スイッチとしていわゆる押しボタンタイプの行先階登録スイッチ７およびドア操作スイッチ８を用いたが、行先階登録スイッチおよびドア操作スイッチはこれに限定されるものではなく、例えばタッチセンサを用いることも可能であることは言うまでもない。
【００５２】
図６の（ａ）〜（ｄ）は図３におけるドア操作スイッチ７および行先階登録スイッチ８の変形例を示す図である。なお、図６の（ａ）〜（ｄ）において、図３と同一または相当する部位には同一の符号を付してある。
【００５３】
図６の（ａ）および（ｂ）にそれぞれ示す変形例は、ドア操作スイッチ１８および行先階登録スイッチ１９のうち、それぞれの操作面１８ａ，１９ａに表示を行うドア動作表示部１８ｂおよび行先階表示部１９ｂが、いわゆるセグメント表示によりそれぞれの表示内容を表示するようにしたものであって、これらの変形例においても第１の実施の形態と同様の効果が得られる。なお、行先階登録スイッチ１９のうち操作面１９ａの外縁部には、第１の実施の形態と同様にかご呼び登録表示部１９ｃが設けられている。
【００５４】
また、図６の（ｃ）に示す変形例では、ドア操作スイッチ２０の操作面２０ａに「ドア」と印字する一方で，行先階登録スイッチ２１の操作面２１ａに「運転」と印字したものであって、行先階登録スイッチ２１のうち操作面２１ａの外縁部にはかご呼び登録表示部２１ｂが設けられている。すなわち、この変形例では、両スイッチ２０，２１のうちそれぞれの操作面２０ａ，２１ａの表示を不変としていて、コスト的に有利となるメリットがある。
【００５５】
さらに、図６の（ｄ）に示す変形例は、ドア操作スイッチ２２の操作面２２ａを押圧することによる出入口ドア２の動作を表示するドア動作表示器２３を、ドア操作スイッチ２２とは別に設けるとともに、行先階登録スイッチ２４の操作面２４ａを押圧することにより行先階として登録される階床を表示する行先階表示器２５を、行先階登録スイッチ２４とは別に設けたものである。なお、行先階登録スイッチ２４のうち操作面２４ａの外縁部には、第１の実施の形態と同様にかご呼び登録表示部２４ｂが設けられている。
【００５６】
したがって、この変形例においても第１の実施の形態と同様に、乗客による行先階の選択および出入口ドア２の動作の選択が不要となり、エレベータの操作が容易となる上に、乗客が行先階登録スイッチ８およびドア操作スイッチ７の機能を容易に理解でき、エレベータの操作をより確実且つ円滑に行うことができるようになるメリットがある。
【００５７】
図７は本発明の第２の実施の形態を示す図であって、図７の（ａ）はかごが２階に位置するときにおけるかご操作盤を示す図、図７の（ｂ）はかごが１階に位置するときにおけるかご操作盤を示す図、図７の（ｃ）はかごが３階に位置するときにおけるかご操作盤を示す図である。なお、図７の（ａ）〜（ｃ）において、第１の実施の形態と同一または相当する部位には同様の符号を付してある。
【００５８】
図７に示す第２の実施の形態は本発明を３階床間をサービスするエレベータに適用したものであって、図７の（ａ）に示すように、かご１内に設けられたかご操作盤２６には、かご位置表示器６のほか、第１行先階登録スイッチ２７と、その第１行先階登録スイッチ２７の上方に設けられた第２行先階登録スイッチ２８
と、第１行先階登録スイッチ２７の下方に設けられた単一のドア操作スイッチ７と、が設けられている。換言すれば、行先階登録操作手段たる各行先階登録スイッチ２７，２８はサービス階の数よりも一つ少ない数だけ設けられている。なお、図７の（ａ）〜（ｃ）ではドア操作スイッチ７のドア動作表示部７ｂの図示を省略している。
【００５９】
すなわち、昇降路１５のうち１階〜３階の乗場に相当する位置にそれぞれ設けられた１階かご検出スイッチ１３と２階かご検出スイッチ１４および３階かご検出スイッチ２９をもってかご１の現在位置を検出するようになっていて、その各かご検出スイッチ１３，１４，２９により検出されたかご１が位置する階床を除く階床を各行先階登録スイッチ２７，２８にそれぞれ割り当てるようになっている。
【００６０】
詳細には、各行先階登録スイッチ２７，２８に割り当てられた階床を、各行先階登録スイッチ２７，２８の行先階表示部２７ｂ，２８ｂがそれぞれ行先階表示器としてその操作面２７ａ，２８ａに表示するようになっていて、各行先階登録スイッチ２７，２８が乗客により操作されたときに、操作された行先階登録スイッチ２７，２８が行先階登録信号を出力して割り当てられた階床を行先階として登録するようになっている。
【００６１】
つまり、図７の（ａ）に示すように、かご１が２階に位置していて、２階かご検出スイッチ１４が検出動作している場合には、第１行先階登録スイッチ２７に１階が割り当てられ、その行先階表示部２７ｂに「１」と表示されるとともに、第２行先階登録スイッチ２８に３階が割り当てられ、その行先階表示部２８ｂに「３」と表示される。
【００６２】
また、図７の（ｂ）に示すように、かご１が１階に位置していて、１階かご検出スイッチ１３が検出動作している場合には、第１行先階登録スイッチ２７に２階が割り当てられ、その行先階表示部２７ｂに「２」と表示されるとともに、第２行先階表示装置２８に３階が割り当てられ、その行先階表示部２８ｂに「３」と表示される。
【００６３】
さらに、図７の（ｃ）に示すように、かご１が３階に位置していて、３階かご検出スイッチ２９が検出動作している場合には、第１行先階登録スイッチ２７に１階が割り当てられ、その行先階表示部２７ｂに「１」と表示されるとともに、第２行先階登録スイッチ２８に２階が割り当てられ、その行先階表示部２８ｂに「２」と表示される。
【００６４】
なお、乗客がドア操作スイッチ７を操作すると、第１の実施の形態と同様に出入口ドア２が出入口３を開閉することとなる。
【００６５】
したがって、この第２の実施の形態においては、各行先階登録スイッチ２７，２８の数をサービス階の数よりも少なくすることができるとともに、出入口ドア２を単一のドア操作スイッチ７をもって操作できるようになることから、乗客の操作する操作スイッチの数を低減することで、乗客によるエレベータの操作を容易なものとすることができる。
【００６６】
なお、本実施の形態では本発明を３階床間をサービスするエレベータに適用したが、本発明は４以上の階床間をサービスするエレベータにも適用可能であることは言うまでもない。
【図面の簡単な説明】
【００６７】
【図１】本発明の実施の形態を示す図であって、エレベータ装置を示す図。
【図２】図１におけるかごの内部を示す図。
【図３】図２におけるかご操作盤の詳細を示す図。
【図４】かごコントローラのうち行先階選択処理部の処理内容を示すフローチャート。
【図５】かごコントローラのうちドア動作選択処理部の処理内容を示すフローチャート。
【図６】図６の（ａ）〜（ｄ）ともに図３に示すドア操作スイッチおよび行先階登録スイッチの変形例を示す図。
【図７】本発明の第２の実施の形態を示す図であって、図７の（ａ）はかごが２階に位置するときにおけるかご操作盤を示す図、図７の（ｂ）はかごが１階に位置するときにおけるかご操作盤を示す図、図７の（ｃ）はかごが３階に位置するときにおけるかご操作盤を示す図。
【符号の説明】
【００６８】
１…かご
２…出入口ドア
３…出入口
７…ドア操作スイッチ（ドア操作手段）
７ａ…操作面
７ｂ…ドア動作表示部（ドア動作表示器）
８…行先階登録スイッチ（行先階登録操作手段）
８ａ…操作面
８ｂ…行先階表示部（行先階表示器）
１８…ドア操作スイッチ（ドア操作手段）
１８ａ…操作面
１８ｂ…ドア動作表示部（ドア動作表示器）
１９…行先階登録スイッチ（行先階登録操作手段）
１９ａ…操作面
１９ｂ…行先階表示部（行先階表示器）
２０…ドア操作スイッチ（ドア操作手段）
２０ａ…操作面
２１…行先階登録スイッチ（行先階登録操作手段）
２１ａ…操作面
２２…ドア操作スイッチ（ドア操作手段）
２２ａ…操作面
２３…ドア動作表示器
２４…行先階登録スイッチ（行先階登録操作手段）
２４ａ…操作面
２４ｂ…かご呼び登録表示部
２５…行先階表示器
２７…第１行先階登録スイッチ（行先階登録手段）
２７ｂ…行先階表示部（行先階表示器）
２８…第２行先階登録スイッチ（行先階登録手段）
２８ｂ…行先階表示部（行先階表示器）
【図１】
2008201557.tif 000003
【図２】
2008201557.tif 000004
【図３】
2008201557.tif 000005
【図４】
2008201557.tif 000006
【図５】
2008201557.tif 000007
【図６】
2008201557.tif 000008
【図７】
2008201557.tif 000009